(57)【要約】【課題】舗装道路、歩道等の舗装面に埋設されて用いられる消雪ノズル装置または消雪ノズルの補修用ノズルに主として使用する新規の散水用ノズルを提供する。【解決手段】散水孔付き散水口部４が上部に設けられた散水用ノズルに関し、散水口部は散水用ノズル本体の上面に形成された口部材嵌着凹部と当該口部材嵌着凹部に嵌着された散水口構成部材により構成され、散水口構成部材は内側リング部と外側リング部に分割され、この分割面に散水孔形成用凹溝が設けられて成るものである。【選択図】        図１
2004195398.tif 000002
【特許請求の範囲】
【請求項１】
散水孔付き散水口部が上部に設けられた散水用ノズルに関し、散水口部は散水用ノズル本体の上面に形成された口部材嵌着凹部と当該口部材嵌着凹部に嵌着された散水口構成部材により構成され、散水口構成部材は内側リング部と外側リング部に分割され、この分割面に散水孔形成用凹溝が設けられて成ることを特徴とする散水用ノズル。
【請求項２】
上記外側リング部が散水用ノズル本体に一体として形成されたことを特徴とする請求項１記載の散水用ノズル
【請求項３】
上記内側リング部の外周面と外側リング部の内周面は上方に向って徐々に径が大きくなるテーパー面で接するように形成され、内側リング部はその内周面と口部材嵌着凹部の内周面に刻設された雌雄ネジにより螺着され、また外側リング部はその外周面および下面が口部材嵌着凹部の外周面および底面に密着されて成ることを特徴とする請求項１記載の散水用ノズル。
【請求項４】
上記散水孔形成用凹溝凹溝が、広幅で浅い形状とされて成ることを特徴とする請求項１、２または３記載の散水用ノズル。
【発明の詳細な説明】
【発明が属する技術分野】
本発明は、舗装道路、歩道等の舗装面に埋設されて用いられる消雪ノズル装置または消雪ノズルの補修用ノズルに主として使用する散水用ノズル関する。
【０００１】
【従来の技術】
従来知られているこの種の散水ノズルは、その散水孔が細い丸孔であったために、散水の拡散性がよくないという問題点があった（特許文献１参照）。
【０００２】
【特許文献１】
特開平７−１５５６４７号公報
【０００３】
本発明は、上記問題点を解消する広角散水ができるように工夫した新規の散水用ノズルを提供する。
【０００４】
【課題を解決するための手段】
上記目的を達成するために本発明に係る散水用ノズルは、散水孔付き散水口部４が上部に設けられた散水用ノズルに関し、散水口部は散水用ノズル本体の上面に形成された口部材嵌着凹部と当該口部材嵌着凹部に嵌着された散水口構成部材により構成され、散水口構成部材は内側リング部と外側リング部に分割され、この分割面に散水孔形成用凹溝が設けられて成るものである。
【０００５】
そして、上記外側リング部が散水用ノズル本体に一体として形成されたものである。
【０００６】
また、上記内側リング部の外周面と外側リング部の内周面は上方に向って徐々に径が大きくなるテーパー面で接するように形成され、内側リング部はその内周面と口部材嵌着凹部の内周面に刻設された雌雄ネジにより螺着され、また外側リング部はその外周面および下面が口部材嵌着凹部の外周面および底面に密着されて成るものである。
【０００７】
そして、上記散水孔形成用凹溝凹溝が、広幅で浅い形状とされて成るものであるものである。
【０００８】
【発明の実施の形態】
本発明に係る散水用ノズルの第１実施例を図１〜図６に依拠して説明する。
【０００９】
この散水用ノズルは、散水用ノズル本体１の下端に設けられた接続用管状ネジ部２と、内部に設けられた水量調節部３と、上部に設けられた散水孔４付き散水口部５とを備えているのものであって、導水管９から受けた水が水量調節部３で調節されてから散水口部５を介して路面６に拡散散水されるように構成されたものである。
【００１０】
接続用管状ネジ部２は、螺着用ネジ８が設けられている。この螺着用ネジ８は、導水管９の上端に設けられたネジが雄型ネジの場合には雌型とされ、雌型ネジの場合には雄型とされる。
【００１１】
水量調節部３は、接続用管状ネジ部２の導水管上端部の嵌着孔１１の上端に連続して設けられたパイプ状部１２と、当該パイプ状部１２の周りに形成された上面開放の環状凹部１３とがノズル本体１に設けられると共にこれ等パイプ状１２、環状凹部１３間の壁面には水量調整用連通孔１４が設けられ、さらにパイプ状部１２における内周面の上半分には雌ネジ１５が設けられ、この雌ネジ１５にはねじ回し操作によって昇降動作する水量調整コマ１６が螺合されているものである。なお、図中符号１７は防振ゴム製蓋を示す。
【００１２】
散水口部５は、上記環状凹部１３の内周開口縁部上面と散水用ノズル本体１の上面外周縁とに内・外周突条縁１８，１９が一体に設けられることで形成された口部材嵌着凹部２０が設けられ、この口部材嵌着凹部２０に次に述べるような散水口構成部材２１が嵌着固定されているものである。
【００１３】
散水口構成部材２１は、内側リング部２３と外側リング部２４により形成され、そして内側リング部２３の外周面と外側リング部２４の内周面は、上方に向って徐々に径が大きくなるテーパー面２５，２６で接するように形成されている。そして、内側リング部２３はその内周面と上記口部材嵌着凹部２０の内周面に刻設された雌雄ネジ２７，２８により螺着され、また外側リング部２４はその外周面および下面が外周突条縁１９および口部材嵌着凹部２０の底面にＯリング２９を介して密着させられている。
【００１４】
上記の外側リング部２４は、散水用ノズル本体１に一体として形成することで実施することができる（図９参照）。
【００１５】
上記内側リング部２３の外周面には、幅広で浅い散水口形成溝３１が四方配置で凹設され、その下端が上記環状凹部１３に向って開放し、同じく上端が外方に向って開放されている。なお、図中３２はＯリングである。
【００１６】
本発明に係る散水ノズルは、次にような用法を行うことで既存の消雪ノズル３４の補修用ノズルとして用いることができる。
すなわち、道路に埋設された既存の消雪ノズル３４の上面を切削することで不良部分（図示せず）を除去したのち、この除去個所に本発明に係る散水ノズルを装填する大きい凹所３５および同散水ノズルを螺着固定する雄ネジ３６を設け、次いで、これ等凹所３５、雄ネジ３６を利用して本発明に係る散水用ノズルを既存の消雪ノズル３４にセットして完了する（図７参照）。
【００１７】
なお、上記用法を行うときには、図８に示すように接続管３７および補強管３８を用いた所謂嵩上げ工法で補修することができる。
【００１８】
本発明は、通常、金属部分はステンレスで構成する。
【００１９】
【発明の効果】
本発明の請求項１に係る散水ノズルは、上記のように、散水孔付き散水口部４が上部に設けられた散水用ノズルに関し、散水口部４は散水用ノズル本体１の上面に形成された口部材嵌着凹部２０と当該口部材嵌着凹部２０に嵌着された散水口構成部材１８により構成され、散水口構成部材１８は内側リング部１９と外側リング部２０に分割され、この分割面に散水孔形成用凹溝が設けられて成るので、円周方向に長い広角拡散型の散水口の構成を可能にすることができる。
【００２０】
同じく請求項２に係る散水ノズルは、上記のように、外側リング部２０が散水用ノズル本体１に一体として形成されたので、部品点数の少減に有利である。
【００２１】
同じく請求項３に係る散水ノズルは、上記のように、内側リング部１９の外周面と外側リング部２０の内周面は上方に向って徐々に径が大きくなるテーパー面２１，２２で接するように形成され、内側リング部１９はその内周面と口部材嵌着凹部１６の内周面に刻設された雌雄ネジ２４，２５により螺着され、また外側リング部２０はその外周面および下面が口部材嵌着凹部２０の外周面１５および底面に密着されて成るので、全体としての構成が容易である著効を奏する。
【００２２】
同じく請求項４に係る散水ノズルは、上記のように、散水孔形成用凹溝凹溝が、広幅で浅い形状とされて成るので、円周方向に長い広角拡散型の散水口の構成が容易且つ確実に設けることができ、所期の目的を完全に達成できる著効を奏するものである。
【図面の簡単な説明】
【図１】本発明の実施例を示す一部切截側面図である。
【図２】同じく平面図である。
【図３】内側リングを示す一部切截断面図である。
【図４】同じく平面図である。
【図５】外側リングを示す一部切截断面図である。
【図６】同じく平面図である。
【図７】使用例を示す一部切截断面図である。
【図８】他の使用例を示す一部切截断面図である。
【図９】別異の実施例を示す一部切截断面図である。
【符号の説明】
１  散水用ノズル本体
２  接続用管状ネジ部
３  水量調節部
４  散水孔
５  散水口部
６  路面
８  螺着用ネジ
９  導水管
１１  嵌着孔
１２  パイプ状部
１３  環状凹部
１４  水量調整用連通孔
１５  雌ネジ
１６  水量調整コマ
１７  防振ゴム製蓋
１８  内周突条縁
１９  外周突条縁
２０  口部材嵌着凹部
２１  散水口構成部材
２３  内側リング部
２４  外側リング部
２５  テーパー面
２６  テーパー面
２７、２８  雌雄ネジ
２９  Ｏリング
３１  散水口形成溝
３２  Ｏリング
３４  消雪ノズル
３５  凹所
３６  雄ネジ
３７  接続管
３８  補強管
【図１】
2004195398.tif 000003
【図２】
2004195398.tif 000004
【図３】
2004195398.tif 000005
【図４】
2004195398.tif 000006
【図５】
2004195398.tif 000007
【図６】
2004195398.tif 000008
【図７】
2004195398.tif 000009
【図８】
2004195398.tif 000010
【図９】
2004195398.tif 000011